(57)【要約】【課題】ＭＦＰ装置などの電子機器の管理制御を行う際に、管理端末装置に専用アプリケーションを導入したり、ＭＦＰ装置内に内部ウェブサーバを導入したりせずに、既知のファイル操作アプリケーションのＧＵＩ操作により、ＭＦＰ装置の管理制御を行うこと。【解決手段】管理端末装置上のファイル操作アプリケーションのＧＵＩ操作によって送受信されるファイル共有プロトコルをＭＦＰ装置を管理制御する命令信号及び応答信号に変換するファイルシステム変換機構をＭＦＰ装置内に搭載する。これにより、管理端末装置に新しくアプリケーションソフトなどを導入する必要や、ないしはＭＦＰ装置内に内部ウェブサーバを搭載する必要が無くなり、管理端末装置上に搭載されている既存のファイル操作アプリケーションのＧＵＩを用いたファイルやフォルダの操作によって、ＭＦＰ装置の管理制御を行うことができる。【選択図】図１
2007174352.tif 000002
【特許請求の範囲】
【請求項１】
管理端末との間で送受信されるファイル共有プロトコルを用いて動作する電子機器装置であって、
制御信号を受信して当該制御信号に応じた機能を実行する実行部と、
前記制御信号を前記実行部に転送する制御機構部と、
前記管理端末との間で前記ファイル共有プロトコルを送受信する通信機構部と、
前記制御機構部から転送された前記制御信号を前記ファイル共有プロトコルに変換した後、前記通信機構部へ転送すると共に、前記通信機構部から転送された前記ファイル共有プロトコルを制御信号に変換した後、前記制御機構部へ転送するファイルシステム変換部と
を備えたことを特徴とする電子機器装置。
【請求項２】
請求項１記載の電子機器装置であって、
前記ファイルシステム変換部は、前記制御信号をファイル共有プロトコルに依存しない抽象モデルに変換すると共に抽象モデルを制御信号に変換して前記制御機構部へ転送する抽象モデル変換部と
前記変換された抽象モデルをファイル共有プロトコルに変換して前記通信機構部に転送すると共に通信機構部から転送されたファイル共有プロトコルをファイル共有プロトコルに依存しない抽象モデルに変換して前記抽象モデル変換部へ転送するファイル共有プロトコル変換機構部と
を備えたことを特徴とする電子機器装置。
【請求項３】
請求項２記載の電子機器装置であって、
前記ファイルシステム変換部は、複数のファイル共有プロトコルに応じて複数のファイル共有プロトコル変換機構部を備え、前記ファイル共有プロトコルを予め選択するか又は管理端末装置からの要求に応じて選択されたファイル共有プロトコルに基づき、対応するファイル共有プロトコル変換機構部を選択するファイルシステム選択部を設けた
ことを特徴とする電子機器装置。
【請求項４】
請求項２または３記載の電子機器装置であって、
前記抽象モデルは、エクステンシブル・マークアップ言語（ＸＭＬ）により表記される
ことを特徴とする電子機器装置。
【請求項５】
請求項１〜４の何れかに記載の電子機器装置であって、
前記ファイル共有プロトコルは、
コモンインターネットファイルシステム（ＣＩＦＳ）プロトコルであるか、
又は、
ファイルトランスファープロトコル（ＦＴＰ）である
ことを特徴とする電子機器装置。
【請求項６】
請求項１〜５の何れかに記載の電子機器装置であって、
前記実行部は、
プリンタ機能やＦＡＸ送受信機能等の複数の機能を備えた複合機
又は
メール機能等複数の機能を備えたモバイル端末装置
である
ことを特徴とする電子機器装置。
【請求項７】
管理端末との間で送受信されるファイル共有プロトコルを用いて動作する電子機器装置の制御プログラムであって、
コンピュータを、
制御信号を受信して当該制御信号に応じた機能を実行する実行手段と、
前記制御信号を前記実行手段に転送する制御手段と、
前記管理端末との間で前記ファイル共有プロトコルを送受信する通信手段と、
前記制御機構部から転送された前記制御信号を前記ファイル共有プロトコルに変換した後、前記通信機構部へ転送すると共に、前記通信機構部から転送された前記ファイル共有プロトコルを制御信号に変換した後、前記制御機構部へ転送するファイル共有プロトコル変換手段として機能させる
ことを特徴とする制御プログラム。
【請求項８】
請求項７記載の制御プログラムであって、
前記ファイル共有プロトコル変換手段は、前記制御信号をファイル共有プロトコルに依存しない抽象モデルに変換すると共に抽象モデルを制御信号に変換して前記制御機構部へ転送する抽象モデル変換手段と、前記変換された抽象モデルをファイル共有プロトコルに変換して前記通信機構部に転送すると共にファイル共有プロトコルを抽象モデルに変換して前記抽象モデル変換部へ転送可能にする変換手段とを備えた
ことを特徴とする制御プログラム。
【請求項９】
請求項１〜６の何れかに記載の電子機器装置の実行を管理する管理端末装置であって、
前記実行に関するファイルを管理端末装置の画面上でユーザインターフェイスによる操作を行うためのファイル操作アプリケーションを備えた
ことを特徴とする管理端末装置。
【発明の詳細な説明】
【技術分野】
【０００１】
本発明は、マルチファンクショナルペリフェラル（ＭＦＰ（Multi Functional Peripheral）装置）などの電子機器装置をファイル共有プロトコルを用いて制御を行うことができる電子機器装置及び制御プログラム及び管理端末装置に関するものである。
【背景技術】
【０００２】
従来、プリンタ機能等の複数の機能を備えた複合機であるＭＦＰ装置などを管理制御する方法として、管理端末装置であるパーソナルコンピュータ上にＭＦＰ装置を制御するための専用のアプリケーションをインストールし、その専用アプリケーションプログラムによりＭＦＰ装置を管理及び制御する方法がある。
【０００３】
また、ＭＦＰ装置内に内部ウェブサーバを搭載し、その内部ウェブサーバに管理端末装置からアクセスして操作を行いＭＦＰ装置を制御する方法がある。
【０００４】
しかし上記による方法においては、以下に述べるような問題があった。管理端末装置上の専用のアプリケーションプログラムを用いる方法では、前記管理端末装置上にアプリケーションプログラムをインストールするには、セキュリティの観点上から制限がかかるようになってきた。よって管理目的のアプリケーションソフトウェアの導入といえども、任意な導入に依存する管理スキームに替わる手段を検討しなければならなくなってきた。
【０００５】
また、ＭＦＰ装置内に内部ウェブサーバ機能を搭載して提供するウェブページによりＭＦＰ装置の管理及び制御手段を提供する方法では、一般に前記のウェブページの言語対応は組込み装置の記憶装置の制限により限られている。そのため、出荷先に合わせて搭載するウェブページ構成の差し替えが必要であった。また、ウェブブラウザ機種間での表示の差異を吸収するためにウェブページは比較的単純な要素で構成されることが多く、その操作感にかけることが多かった。
【０００６】
【特許文献１】特開２００３−１６７７１２号公報
【特許文献２】特開２０００−３１５１３１号公報
【特許文献３】特開２００５−１００３５４号公報
【発明の開示】
【発明が解決しようとする課題】
【０００７】
解決しようとする問題点は、電子機器装置の制御を行うために管理端末に専用アプリケーションプログラムを導入しなければならないか、または、前記電子機器装置の内部にウェブサーバ機能を搭載しなければいけないという点である。
【課題を解決するための手段】
【０００８】
電子機器装置の制御を行うために管理端末に専用アプリケーションを導入せず、しかも電子機器装置の内部にウェブサーバ機能を搭載せずとも実行部を制御可能とするため、電子機器装置は、管理端末との間で送受信されるファイル共有プロトコルを用いて動作する電子機器装置であって、制御信号を受信して当該制御信号に応じた機能を実行する実行部と、前記制御信号を前記実行部に転送する制御機構部と、前記管理端末との間で前記ファイル共有プロトコルを送受信する通信機構部と、前記制御機構部から転送された前記制御信号を前記ファイル共有プロトコルに変換した後、前記通信機構部へ転送すると共に、前記通信機構部から転送された前記ファイル共有プロトコルを制御信号に変換した後、前記制御機構部へ転送するファイルシステム変換部とを備えたことを最も主要な特徴とする。
【０００９】
プログラムは、管理端末との間で送受信されるファイル共有プロトコルを用いて動作する電子機器装置の制御プログラムであって、コンピュータを、制御信号を受信して当該制御信号に応じた機能を実行する実行手段と、前記制御信号を前記実行手段に転送する制御手段と、前記管理端末との間で前記ファイル共有プロトコルを送受信する通信手段と、前記制御機構部から転送された前記制御信号を前記ファイル共有プロトコルに変換した後、前記通信機構部へ転送すると共に、前記通信機構部から転送された前記ファイル共有プロトコルを制御信号に変換した後、前記制御機構部へ転送するファイル共有プロトコル変換手段として機能させることを最も主要な特徴とする。
【００１０】
管理端末装置は、実行に関するファイルを管理端末装置の画面上で操作を行うためのファイル操作アプリケーションを備えたことを最も主要な特徴とする。
【発明の効果】
【００１１】
本発明の電子機器装置は、管理端末との間で送受信されるファイル共有プロトコルを用いて動作する電子機器装置であって、制御信号を受信して当該制御信号に応じた機能を実行する実行部と、前記制御信号を前記実行部に転送する制御機構部と、前記管理端末との間で前記ファイル共有プロトコルを送受信する通信機構部と、前記制御機構部から転送された前記制御信号を前記ファイル共有プロトコルに変換した後、前記通信機構部へ転送すると共に、前記通信機構部から転送された前記ファイル共有プロトコルを制御信号に変換した後、前記制御機構部へ転送するファイルシステム変換部とを備えたため、管理端末側に標準搭載されている既存のファイル管理アプリケーションによって管理制御する利点がある。
【００１２】
また、電子機器装置の管理及び制御するための専用のアプリケーションプログラムの準備が不要となる利点がある。
【００１３】
また、電子機器装置の内部に管理制御のためのウェブサーバを搭載する必要が無くなる利点がある。
【発明を実施するための最良の形態】
【００１４】
ＭＦＰ装置などの電子機器装置の管理及び制御をするために、専用のアプリケーションプログラムを必要とせず、また、電子機器装置の内部にウェブサーバを搭載する必要も無くすという目的を、電子機器装置内に、ファイル共有プロトコルを電子機器装置の管理制御命令に変換するファイルシステム変換部を設けたことにより実現した。
【実施例１】
【００１５】
［ＭＦＰ装置と管理端末のシステム構成］
図１に本発明の実施例であるＭＦＰ装置１と同装置を管理制御する管理端末装置３のシステム構成を表す。
【００１６】
管理端末装置３上には、ＯＳ（オペレーティングシステム）４３、ファイルシステム４５、ファイル操作アプリケーション４１が搭載されている。
【００１７】
ＭＦＰ装置１には、操作パネル部１１、制御機構部１３、ファイルシステム変換部１５、通信機構部１７が搭載されており、ＭＦＰ装置の所定の機能を実行する実行部として印刷機能部２１、読取機能部２３、保存機能部２５、送信機能部２７、受信機能部２９、初期設定機能部３１、履歴部３３が搭載されている。
【００１８】
操作パネル部１１は、ＭＦＰ装置が管理端末装置に接続されていない状態でもＭＦＰ装置の操作を行う機能を持つ。制御機構部１３は機能実行のための制御信号をファイルシステム変換部１５と実行部（２１〜３３）との間で受け渡す。ファイルシステム変換部１５はファイル共有プロトコルと制御信号との変換を行う。通信機構部１７は管理端末装置３との通信を受け持つ。実行部としては以下の各機能部がある。印刷機能部２１は白黒印刷やカラー印刷などを行う。読取機能部２３は原稿読取台よりの原稿読み取り機能を行う。保存機能部２５はＭＦＰ装置の原稿を読取を行った際及び通信ネットワークを通じデータを受信した際にそのデータの一時保存を行う。送信機能部２７はＦＡＸ送信及び電子メール送信を行う。受信機能部２９はＦＡＸ受信及び電子メール受信を行う。初期設定機能部３１はＭＦＰ装置の言語設定などの初期設定を行う。履歴部３３は電子メール送受信及びＦＡＸ送受信の履歴を記録する。
［ＭＦＰ装置内での信号の流れ］
ＭＦＰ装置１が管理端末装置３と接続されると、前記ＭＦＰ装置１と前記管理端末装置３との間でファイル共有プロトコル（例えばＣＩＦＳ）に沿った、信号のやり取り（ネゴシエーション）が行われ、前記ＭＦＰ装置１は、自身が１台のサーバ装置であるように前記ファイル共有プロトコルを用いて前記管理端末装置３に応答する。その応答信号は、ＭＦＰ装置の制御機構部１３から、ファイルシステム変換部１５を通り、ファイルシステム変換部内で、ファイル共有プロトコルに変換され、次に通信機構部１７を通して管理端末装置３に送られる。その結果、管理端末装置３上では、ＭＦＰ装置１がファイルシステム４５上の一台のサーバ装置として認識されるようになり、管理端末装置３の画面上にＭＦＰ装置１のアイコンが表示される。
【００１９】
ユーザが管理端末３の画面上でファイル操作アプリケーション４１を用いて、前記ＭＦＰ装置１のアイコンを開いたり、同ＭＦＰ装置のアイコン上に文書ファイルをドラッグアンドドロップしたりする操作を行うと、その操作が管理端末３上のファイル共有システムの操作プロトコルとして、ネットワークやＵＳＢポートやパラレルポート等を介してＭＦＰ装置１の通信機構部１７に送られる。
【００２０】
ＭＦＰ装置１の通信機構部１７では、受信したファイル共有プロトコルを同装置のファイルシステム変換部１５に送信し、同ファイルシステム変換部内で、ファイル共有プロトコルにて表現されているＭＦＰ装置の制御命令を同ＭＦＰ装置の制御機構部１３が理解する制御命令に変換する。
【００２１】
制御機構部１３は受け取った制御命令をその制御命令に対応した実行部である印刷機能部２１、読取機能部２３、保存機能部２５、送信機能部２７、受信機能部２９、初期設定機能部３１、履歴部３３に送信しその制御命令を実行する。
【００２２】
ＭＦＰ装置１には管理端末装置３が接続されていない状態でも通常の操作を行うことができる操作パネル１１が搭載されており、操作パネル１１からの操作制御命令は制御機構部１３に送られ、上記の管理端末装置からの制御と同様に各実行部（２１〜３３）が制御命令を実行する。
【００２３】
［ファイルシステム変換部内の構成］
図２にＭＦＰ装置１のファイルシステム変換部１５について、より詳細に説明する。ファイルシステム変換部１５は複数のファイル共有システムプロトコルに対応できるように複数の変換機構部を搭載している。図２では、例としてコモンインターネットファイルシステム（ＣＩＦＳ（Common Internet File System））の変換機構部５７とファイルトランスファープロトコル（ＦＴＰ（File Transfer Protocol））の変換機構部５５を搭載していることを示す。
【００２４】
ファイルシステム選択部５３は、管理端末装置３が理解するファイル共有プロトコルに対応して、それに合う変換機構部５５または５７を選択する。
【００２５】
抽象モデル変換部５１は、制御機構部１３とファイルシステム選択部５３の間に位置し、制御信号と抽象モデルとの間の変換を行う。
【００２６】
［ファイルシステム変換部内の信号の流れ］
次にファイルシステム変換部内の信号の流れについて、図２のＣＩＦＳ（コモンインターネットファイルサービス）変換機構部５７を用いて説明する。制御機構部１３から抽象モデル変換部５１に渡された制御信号は、制御信号から抽象モデルへの変換部１０５において、ファイル共有プロトコルに依存しないＸＭＬなどによって表記される抽象モデルに変換される。変換された抽象モデルは、ファイルシステム選択部５３において管理端末装置が理解するファイル共有プロトコルに合う変換機構部を選択し、例えばＣＩＦＳ変換機構５７に抽象モデルを転送する。ＣＩＦＳ変換機構部５７の内部では、受け取った抽象モデルを抽象モデルからファイル共有プロトコルへの変換部１０７において、ＣＩＦＳプロトコルに変換される。変換されたＣＩＦＳプロトコルは、通信機構部１７へ送信され、通信機構部１７より管理端末装置３へ送信される。
【００２７】
次に上記とは逆の信号の流れについて説明する。
【００２８】
通信機構部１７から、ファイル共有プロトコルであるＣＩＦＳの信号は、ＣＩＦＳ変換機構部５７へ渡され、その内部でファイル共有プロトコル（ＣＩＦＳ）から抽象モデルへの変換部１０３において、ファイル共有プロトコルに依存しないＸＭＬなどによって表記される抽象モデルに変換される。変換された抽象モデルは、ファイルシステム選択部５３を通り抽象モデル変換部５１に渡され、その内部で抽象モデルから制御信号への変換部１０１に渡され、制御信号に変換される。変換された制御信号は制御機構部１３へ送信され、所定の機能を実行する。
【００２９】
［ファイルシステム変換部のプログラムの説明］
ファイルシステム変換部における変換プログラムの動作について、段階ごとに説明する。
【００３０】
図３において、制御機構部からファイルシステム変換部に制御信号が送信されることにより、制御信号をファイル共有システムに変換するプログラムがスタートする（ステップＳ２１）。次に制御信号をファイル共有プロトコルに依存しないＸＭＬなどによって表記される抽象モデルに変換するステップＳ２３が実行される。次にファイルシステム選択部においてファイル共有プロトコルが選択され、そのプロトコルの変換機構に抽象モデルが転送されるステップＳ２５が実行される。次に変換された抽象モデルをＣＩＦＳなどの選択されているファイル共有プロトコルに変換するステップＳ２７が実行される。次に変換されたファイル共有プロトコルを通信機構部に送信するステップＳ２９が行われ、変換部プログラムは終了する。
【００３１】
次に逆の信号の流れにおいて動作するプログラムについて段階ごとに説明する。
【００３２】
図４において、管理端末装置から、ＭＦＰ装置の通信機構部にファイル共有プロトコルが送信されることにより、ファイル共有プロトコルを制御信号に変換するプログラムがスタートする（ステップＳ１）。次にファイル共有プロトコルをファイル共有プロトコルに依存しないＸＭＬなどによって表記される抽象モデルに変換するステップＳ３が実行される。次に変換された抽象モデルがファイルシステム選択部を通り抽象モデル変換部に転送されるステップＳ５が実行される。次に転送された抽象モデルをＭＦＰ装置の制御機構部が機能を実行するための制御信号に変換するステップＳ７が実行される。次に制御信号を制御機構部に送信するステップＳ９が行われ、変換部プログラムは終了する。
【００３３】
［抽象モデルへの変換の詳細、ＸＭＬによる例］
次に抽象モデルへの変換部である、制御信号から抽象モデルへの変換部１０５において行われる、抽象モデルへの変換について詳細に説明する。抽象モデルとしてＸＭＬによって表記された例を使う。
【００３４】
本発明における抽象モデル変換部１０５において、ＭＦＰ装置の諸機能を「フォルダ・ファイル」という構造に再編しなおす。これは現実のファイルシステムに依存しない内部での抽象的なモデルとなる。再編データとしてＸＭＬフォーマットで記述した例を以下に示す。
再編データフォーマットをＸＭＬの抜粋形式で模式的に記載した例
＜ｃｏｎｔａｉｎｅｒ  ｉｄ＝…，  ｆｕｎｃｔｉｏｎ＝…，  ｌａｂｅｌ＝…，  ｉｔｅｍ＝…  ＞
＜ｃｏｎｔｅｎｔ  ｉｄ＝…，  ｆｕｎｃｔｉｏｎ＝…，  ｌａｂｅｌ＝…  ／＞
＜ｃｏｎｔｅｎｔ  ｉｄ＝…，  ｆｕｎｃｔｉｏｎ＝…，  ｌａｂｅｌ＝…  ／＞
＜ｃｏｎｔａｉｎｅｒ  ｉｄ＝…，  ｆｕｎｃｔｉｏｎ＝…，  ｌａｂｅｌ＝…，  ｉｔｅｍ＝…  ＞
：
＜／ｃｏｎｔａｉｎｅｒ＞
次に管理端末装置上で最初にＭＦＰ装置を開いた際に表示されるビュー（図５で示されるもの）をＸＭＬ形式で表示した例を示す。
Ｃｏｎｔａｉｎｅｒノードはいわゆるフォルダを意味し、中に複数のサブアイテム（ｃｏｎｔｅｎｔ）を持つ。ただし、サブフォルダとして表現する場合（ｃｏｎｔａｉｎｅｒのアイテムにｃｏｎｔａｉｎｅｒがある場合）、アイテムレベルのｃｏｎｔａｉｎｅｒはサブアイテムを持たない。下の例ではｌａｂｅｌ属性は説明用にあえて直接日本語表記したものである。実際にはローカライズは再編時もしくは各変更機構にて対応されるものとする。
＜ｃｏｎｔａｉｎｅｒ  ｉｄ＝１００，  ｆｕｎｃｔｉｏｎ＝００１，  ｌａｂｅｌ＝，  ｉｔｅｍ＝８，  ｒｏｏｔｉｄ＝０＞
＜ｃｏｎｔｅｎｔ  ｉｄ＝１０１，  ｆｕｎｃｔｉｏｎ＝０１０，  ｌａｂｅｌ＝“履歴”  ／＞
＜ｃｏｎｔｅｎｔ  ｉｄ＝１０２，  ｆｕｎｃｔｉｏｎ＝０１１，  ｌａｂｅｌ＝“状態”  ／＞
＜ｃｏｎｔｅｎｔ  ｉｄ＝１０３，  ｆｕｎｃｔｉｏｎ＝０１２，  ｌａｂｅｌ＝“設定”  ／＞
＜ｃｏｎｔａｉｎｅｒ  ｉｄ＝２１０，  ｆｕｎｃｔｉｏｎ＝００２，  ｌａｂｅｌ＝“カラー出力”，  ｉｔｅｍ＝０，  ｒｏｏｔｉｄ＝１００／＞
＜ｃｏｎｔａｉｎｅｒ  ｉｄ＝２２０，  ｆｕｎｃｔｉｏｎ＝００３，  ｌａｂｅｌ＝“白黒出力”，  ｉｔｅｍ＝０，  ｒｏｏｔｉｄ＝１００／＞
＜ｃｏｎｔａｉｎｅｒ  ｉｄ＝２３０，  ｆｕｎｃｔｉｏｎ＝００４，  ｌａｂｅｌ＝“読取済画像”，  ｉｔｅｍ＝…，  ｒｏｏｔｉｄ＝１００／＞
＜ｃｏｎｔａｉｎｅｒ  ｉｄ＝２４０，  ｆｕｎｃｔｉｏｎ＝００５，  ｌａｂｅｌ＝“受信済画像”，  ｉｔｅｍ＝…，  ｒｏｏｔｉｄ＝１００／＞
＜ｃｏｎｔａｉｎｅｒ  ｉｄ＝２５０，  ｆｕｎｃｔｉｏｎ＝００６，  ｌａｂｅｌ＝“宛先リスト”，  ｉｔｅｍ＝…，  ｒｏｏｔｉｄ＝１００／＞
＜／ｃｏｎｔａｉｎｅｒ＞
［管理モデル例］
実際に管理端末装置３上でＭＦＰ装置１を操作する方法について説明する。管理端末装置３にＭＦＰ装置１が接続されると管理端末装置３上の既存のファイル操作アプリケーション４１のＧＵＩ画面上にＭＦＰ装置１がひとつのワークステーションのアイコンとして表示される。そのアイコンを開くと図５に示すようなビュー６１が表示される。同ビュー内には、カラー出力フォルダ６３、白黒出力フォルダ６５、読取済画像フォルダ６７、受信済み画像フォルダ６９、履歴ファイル７１、状態ファイル７３、設定ファイル７５、宛先リストフォルダ７７が表示されている。以下に各フォルダ、ファイルについて説明する。
【００３５】
「××出力」フォルダ６３および６５
このフォルダ内にＭＦＰ装置で対応しているファイル（ＰＤＦファイルなど）をドラッグアンドドロップすることで、そのファイルがＭＦＰ装置に送信され（サーバ上のフォルダにファイルが送られる処理と同様）、印刷される。
【００３６】
「××済画像」フォルダ６７および６９
ＭＦＰ装置によって画像読取（スキャナやＦＡＸ受信）が行われたら、このフォルダ内に画像ファイルが格納されたように見える。このフォルダ内からの移動やコピーをすることで、ユーザは任意な操作を行うことが出来る。
【００３７】
履歴ファイル７１
ジョブの処理履歴を表示する。外部アプリケーションとの連携を想定できるようなファイル形式（例えばＣＳＶ）で表記することにより、管理端末上で視認することができる。
【００３８】
状態ファイル７３
状態を説明する文書、ステータスページとパネル表示内容を持つ。ＨＴＭＬ形式の場合ブラウザで開くことが可能。汎用性を考えればテキスト形式とすることも可能。
【００３９】
設定ファイル７５
ＭＦＰ装置の設定を行うファイル。状態ファイル同様、テキスト形式、ＨＴＭＬ形式や、ＸＭＬ形式での表記が可能。
【００４０】
「宛先リスト」フォルダ７７
リストなので単一のファイルとして表現することも可能だが、宛先リストフォルダ内にここの宛先がファイルとして存在するケースと想定した。図６に読取済画像フォルダと宛先リストフォルダを開いて、読取済画像20050001.jpgを宛先“Ｍｒ．Ａ”に送信する際のビューを示す。宛先リストフォルダを開き、送りたい相手先のファイルアイコン上へ画像ファイルをドラッグアンドドロップすることでその宛先へ送信される。ＦＡＸで送るか電子メールで送るかなどの選択方法や優先順位は、図６の中の宛先リスト“Ｍｓ．Ｂ”８９の内容を表す９１にて表記されるように、あらかじめその宛先ファイルに記載できるものとする。一種の同報通信設定として宛先リスト内に新たに作ったサブフォルダ内へ宛先ファイルを複数コピーしておき、そのフォルダへのドラッグアンドドロップで同報がかかるようにすることができる。
【００４１】
［実施例の効果］
上記の実施例１により、管理端末装置には新しくアプリケーションプログラムを導入すること無く、既存の管理端末装置に搭載されている標準のファイル操作アプリケーションプログラムのグラフィックユーザインターフェース（ＧＵＩ）による、アイコンのオープンやドラッグアンドドロップ操作や、コマンドラインからの入力によって走査を行うコマンドラインインターフェース（ＣＵＩ）などのユーザがすでに習熟している方法を用い、ＭＦＰ装置に対して白黒印刷やカラー印刷の使い分けや電子メール及びＦＡＸの送受信が行える。
【００４２】
また、ＭＦＰ装置側にも管理制御のための内部ウェブサーバを搭載する必要が無くなる。
【００４３】
この両方の利点により、例えばＭＦＰ装置の多言語化に際しても、多言語化に関しての主たる操作部分は、管理端末装置に標準搭載されているオペレーティングシステムとファイル操作アプリケーションが受け持ってくれるので、ＭＦＰ装置側での多言語化対応に関する部分の作成行程は必要最低限で済む。
【００４４】
［その他］
ファイル共有プロトコルとしては、ＣＩＦＳやＦＴＰに代えてＮＦＳ（Network File System）や、ＷｅｂＤＡＶ(Distributed Authoring Versioning Protocol for the WWW)を使用することも可能である。
【図面の簡単な説明】
【００４５】
【図１】ＭＦＰ装置及び管理端末装置のブロック構成図である（実施例１）。
【図２】ＭＦＰ装置のファイルシステム変換部のブロック構成図である（実施例１）。
【図３】制御信号をファイル共有プロトコルに変換するプログラムのフローチャートである。
【図４】ファイル共有プロトコルを制御信号に変換するプログラムのフローチャートである。
【図５】管理端末上に表示されるＭＦＰ装置の管理制御画面の例である。
【図６】管理端末上に表示される電子メール送信時の操作画面の例である。
【符号の説明】
【００４６】
１  ＭＦＰ装置
３  管理端末装置
１１  ＭＦＰ装置の操作パネル
１３  ＭＦＰ装置の制御機構部
１５  ＭＦＰ装置のファイルシステム変換部
１７  ＭＦＰ装置の通信機構部
２１  ＭＦＰ装置の印刷機能部
２３  ＭＦＰ装置の読取機能部
２５  ＭＦＰ装置の保存機能部
２７  ＭＦＰ装置の送信機能部
２９  ＭＦＰ装置の受信機能部
３１  ＭＦＰ装置の初期設定部
３３  ＭＦＰ装置の履歴部
４１  管理端末装置のファイル操作アプリケーション
４３  管理端末装置のオペレーティングシステム
４５  管理端末装置のファイルシステム
５１  ＭＦＰ装置のファイルシステム変換部内の抽象モデル変換部
５３  ＭＦＰ装置のファイルシステム変換部内のファイルシステム選択部
５５  ＭＦＰ装置のファイルシステム変換部内のＦＴＰ（File Transfer Protocol）変換機構部
５７  ＭＦＰ装置のファイルシステム変換部内のＣＩＦＳ（Common Internet File System）変換機構部
６１  管理端末装置上に表示されるＭＦＰ装置のアイコンを開いたビュー
６３  カラー出力印刷機能を表すフォルダ
６５  白黒出力印刷機能を表すフォルダ
６７  読取済画像表示機能を表すフォルダ
６９  受信済画像表示機能を表すフォルダ
７１  履歴表示機能を表すファイル
７３  状態表示機能を表すファイル
７５  設定表示機能を表すファイル
７７  宛先リスト表示機能を表すフォルダ
８１  読取済画像フォルダを開いたビュー
８３  宛先リストフォルダを開いたビュー
８５  2005001.jpgというファイル名の画像ファイル
８７  宛先がMr.Aの宛先リストファイル
８９  宛先がMs.Bの宛先リストファイル
９１  ８９のファイルを開いたときに表示される内容
１０１  抽象モデルから制御信号への変換部
１０３  ファイル共有プロトコル（ＣＩＦＳ）から抽象モデルへの変換部
１０５  制御信号から抽象モデルへの変換部
１０７  抽象モデルからファイル共有プロトコル（ＣＩＦＳ）への変換部
【図１】
2007174352.tif 000003
【図２】
2007174352.tif 000004
【図３】
2007174352.tif 000005
【図４】
2007174352.tif 000006
【図５】
2007174352.tif 000007
【図６】
2007174352.tif 000008